(57)【要約】【課題】壁面での光むらの発生を低減できるホリゾントライトを提供する。【解決手段】ホリゾントライト11は、本体22、発光ユニット26および反射手段27を備える。本体22は、光を照射する壁面に対して斜めに対向されて上下方向の一端側が他端側より壁面に近い位置に配置される開口部24を有する。発光ユニット26は、本体22内に配置され、開口部24に対向して横方向に沿って配列された複数のＬＥＤ31を有する。反射手段27は、本体22内に配置され、複数のＬＥＤ31から上下方向へ向かう光を開口部24へ向けて反射する上下の反射板36，37を有する。上下の反射板36，37のうち少なくとも開口部24の一端側寄りに位置する反射板37の先端部37bが山部と谷部を有する凹凸形状に形成されている。【選択図】図１
2015002157.tif 000002
【特許請求の範囲】
【請求項１】
光を照射する壁面に対して斜めに対向されて上下方向の一端側が他端側より壁面に近い位置に配置される開口部を有する本体と；
本体内に配置され、開口部に対向して横方向に沿って配列された複数のＬＥＤを有する発光ユニットと；
本体内に配置され、複数のＬＥＤから上下方向へ向かう光を開口部へ向けて反射する上下の反射板を有し、上下の反射板のうち少なくとも開口部の一端側寄りに位置する反射板の先端部が山部と谷部を有する凹凸形状に形成されている反射手段と；
を具備していることを特徴とするホリゾントライト。
【請求項２】
複数のＬＥＤが横方向に配列されるピッチと反射板の凹凸形状のピッチとは異なっている
ことを特徴とする請求項１記載のホリゾントライト。
【請求項３】
壁面から遠い側に位置する反射板は、壁面に近い側に位置する反射板よりも光拡散性が高い
ことを特徴とする請求項１または２記載のホリゾントライト。
【請求項４】
複数のＬＥＤは複数の発光色のＬＥＤを含み、複数の発光色のＬＥＤが上下に複数列配列されているとともに上下に異なる発光色のＬＥＤが配列され、
反射手段は、上下の複数列のＬＥＤ毎に対応して配置される上下の反射板を有するとともに、反射板に形成される凹凸形状が上下方向に同じ位置に配置されている
ことを特徴とする請求項１ないし３いずれか一記載のホリゾントライト。
【発明の詳細な説明】
【技術分野】
【０００１】
本発明の実施形態は、壁面を照明するホリゾントライトに関する。
【背景技術】
【０００２】
従来、テレビスタジオやステージなどの背景である壁面（ホリゾント面）を照明するホリゾントライトでは、光源として細長いハロゲンランプが多く用いられている。このホリゾントライトでは、壁面に対して斜めに対向される開口部を有する本体内に、ハロゲンランプが開口部に対向して本体の左右方向に沿って配置されるとともに、ハロゲンランプからの光を所定の配光となるように反射させて本体の開口部から出射させる反射板が配置されている。そして、ホリゾントライトは、壁面に対して床側や天井側に設置され、壁面を均一な明るさで照明するために床側から上方へまたは天井側から下方へ光が伸びるように配光制御が行われている。
【０００３】
近年、照明器具の光源としてＬＥＤが用いられてきており、ホリゾントライトにもハロゲンランプに代えてＬＥＤを用いる提案がある。この場合、所望の光束を得るために複数のＬＥＤが用いられ、これら複数のＬＥＤが開口部に対向して左右方向に沿って配列されている。そして、複数のＬＥＤからの直射光のうち、一部の直射光は反射板に入射せずに開口部から出射されて壁面に照射され、他の一部の直射光は反射板で反射し、この反射光が開口部から出射されて壁面に照射される。
【先行技術文献】
【特許文献】
【０００４】
【特許文献１】特開２０１０−１８２５１４号公報
【特許文献２】特開２００７−８０６６６号公報
【発明の概要】
【発明が解決しようとする課題】
【０００５】
ホリゾントライトは、壁面に対して下側位置または上側位置に設置され、下側位置から上方へまたは上側位置から下方へ光が伸びるように反射板を用いて配光制御を行っているが、壁面には、複数のＬＥＤからの直射光が照射される明部の領域と、複数のＬＥＤからの直射光が反射板で遮られた暗部の領域とが発生し、その明部と暗部との境界は反射板の先端部に沿って直線状に発生し、光むらが明確に発生しやすい問題がある。
【０００６】
本発明が解決しようとする課題は、壁面での光むらの発生を低減できるホリゾントライトを提供することである。
【課題を解決するための手段】
【０００７】
実施形態のホリゾントライトは、本体、発光ユニットおよび反射手段を備える。本体は、光を照射する壁面に対して斜めに対向されて上下方向の一端側が他端側より壁面に近い位置に配置される開口部を有する。発光ユニットは、本体内に配置され、開口部に対向して横方向に沿って配列された複数のＬＥＤを有する。反射手段は、本体内に配置され、複数のＬＥＤから上下方向へ向かう光を開口部へ向けて反射する上下の反射板を有する。上下の反射板のうち少なくとも開口部の一端側寄りに位置する反射板の先端部が山部と谷部を有する凹凸形状に形成されている。
【発明の効果】
【０００８】
本発明によれば、反射板の先端部が山部と谷部を有する凹凸形状に形成されているため、ＬＥＤからの直射光が反射板の先端部で遮られることで壁面に発生しやすい明部と暗部との境界が直線状にならずにぼやかすことができ、壁面での光むらの発生を低減することが期待できる。
【図面の簡単な説明】
【０００９】
【図１】第１の実施形態を示すホリゾントライトの一部の断面図である。
【図２】同上ホリゾントライトの一部の正面図である。
【図３】同上ホリゾントライトのＬＥＤと反射板の先端部の凹凸形状との関係を示す説明図である。
【図４】同上ホリゾントライトの側面図である。
【図５】同上ホリゾントライトの正面図である。
【図６】同上ホリゾントライトの使用状態を示す説明図である。
【図７】同上ホリゾントライトから壁面に照射された光の概念図である。
【図８】第２の実施形態を示すホリゾントライトの側面図である。
【図９】同上ホリゾントライトの正面図である。
【図１０】第３の実施形態を示すホリゾントライトの側面図である。
【図１１】同上ホリゾントライトの正面図である。
【図１２】第４の実施形態を示すホリゾントライトの側面図である。
【図１３】同上ホリゾントライトの照射方向を変更した側面図である。
【発明を実施するための形態】
【００１０】
以下、第１の実施形態を、図１ないし図７を参照して説明する。
【００１１】
図６に示すように、テレビスタジオやステージなどでは、背景である壁面（ホリゾント面）10を照明するためのホリゾントライト11が設置される。ホリゾントライト11には、床面側で壁面10に沿って設けられた窪み状のピット12に設置されるロアーホリゾントライト11a、および天井側でバトンなどに吊り下げ設置されるアッパーホリゾントライト11bなどが含まれる。
【００１２】
図４および図５には、ロアーホリゾントライト11aを示す。このロアーホリゾントライト11aは、光源部15、この光源部15に電源を供給する電源部16、および光源部15を電源部16に対して支持する支持部17を備えている。光源部15は、光を出射する前面が壁面10に対して斜め上方へ向けて対向するように、所定角度上向きとした傾斜姿勢に設置される。
【００１３】
光源部15は、前面を開口したケース20およびこのケース20の前面に取り付けられたカバー21とで構成される本体22を有している。ケース20は、例えばアルミニウムなどの金属製で、横長に形成され、背面に複数の放熱フィン23が設けられている。カバー21は、横長の四角形枠状に形成され、中央領域に横長四角形状の開口部24が形成されている。図１に示すように、ケース20の内部には発光ユニット26および反射手段27が配設され、カバー21の内側には開口部24を覆うように透光部材28が配設されている。そして、光源部15が傾斜姿勢にあることで、開口部24の上下方向の一端側である下側が他端側である上側よりも壁面10に近い位置に配置される。
【００１４】
図１および図２に示すように、発光ユニット26は、横長四角形状の基板30、およびこの基板30の前面である実装面に実装された複数のＬＥＤ31を備えている。複数のＬＥＤ31は基板30の長手方向である横方向（水平方向）に沿ってＬＥＤ列を形成するようにライン状に配列されているとともに、このようなＬＥＤ列が基板30の短手方向である上下方向（光源部15が傾斜姿勢に設置された状態での上下方向）に複数列配列されている。複数のＬＥＤ列の各ＬＥＤ31は上下方向に平行に並んで配列されている。また、ＬＥＤ31には、多色例えば、赤、緑、青、白の４色、またはシアンを含めた５色の発光色のＬＥＤ31R，31G，31B，31W，31Cが含まれている。しかし、ＬＥＤ31は１色のみあるいは他の色の組み合わせであってもよい。複数の各発光色のＬＥＤ31R，31G，31B，31W，31Cが各ライン列に配列されている。ＬＥＤ列は、例えば、下側のＬＥＤ列32、中間のＬＥＤ列33および上側のＬＥＤ列34の３列に配列されている。上下方向に並ぶＬＥＤ31は、発光色が互いに異なるように配列されている。そして、基板30は、背面がケース20の背面部分に直接または他の熱伝導部材を介して熱伝導可能に取り付けられ、複数のＬＥＤ31が実装された前面が前方の開口部24と平行に対向するように配置されている。
【００１５】
反射手段27は、ＬＥＤ列32，33，34毎にＬＥＤ31から上下方向へ向かう光を開口部24へ向けて反射する３組の上下の反射板36，37、これら反射板36，37の幅方向の両端を取り付けて一体に保持する両側の側板38、および両側の側板38の内側に配置されてＬＥＤ31から側方へ向かう光を開口部24へ向けて反射させる両側の反射板39を備えている。
【００１６】
上下の反射板36，37には、ＬＥＤ31に対向し、ＬＥＤ31から入射する直射光を開口部24へ向けて反射する反射面36a，37aが形成されている。すなわち、上側の反射板36の下面に反射面36aが形成され、下側の反射板37の上面に反射面37aが形成されている。下側の反射板37の反射面37aは、ロアーホリゾントライト11aから遠い壁面10の上側領域へ向けて光を反射させるものであり、反射率が高い鏡面に形成されている。上側の反射板36の反射面36aは、ロアーホリゾントライト11aに近い壁面10の下側領域から中間領域（上側領域と下側領域との中間領域）へ向けて光を反射させるものであり、反射面37aよりも反射率が低く光拡散性が高い光拡散面に形成されている。
【００１７】
光源部15は、光を出射する前面すなわち開口部24が壁面10に対して斜め上方へ向けて対向するように設置されるので、開口部24に対向する発光ユニット26および反射手段27なども同じく傾斜した状態となる。そのため、上下の反射板36，37のうち、下側の反射板37は開口部24の上下方向の一端側である下側寄りに位置されていて壁面10に近い位置に配置され、上側の反射板36は開口部24の上下方向の他端側である上側寄りに位置されていて壁面10から遠い位置に配置されている。
【００１８】
図２および図３に示すように、各下側の反射板37の先端部37bは、凹凸形状（山谷形状）にカットされた形状に形成されている。凹凸形状は、三角形の山部40と三角形の谷部41が交互に連続するジグザグ状とされている。なお、凹凸形状としては、波形でもよいし、あるいは櫛歯状でもよく、山部40と谷部41を有していればよい。また、上下に配置される各下側の反射板37の凹凸形状は上下方向に同じ位置に形成されている。
【００１９】
そして、複数のＬＥＤ31が横方向に配列されるピッチと反射板37の凹凸形状のピッチとは異なっており、例えば複数のＬＥＤ31が横方向に配列されるピッチよりも反射板37の凹凸形状のピッチが大きくなっている。寸法の一例として、反射板37の凹凸形状の山部40の頂部および谷部41の頂部の角度αは９０°、山部40と谷部41との間の高さの差ｈは３．５ｍｍ、山部40および谷部41のピッチP1は９ｍｍ、ＬＥＤ31のピッチP2は６ｍｍとされる。
【００２０】
図１および図２に示すように、最も上下に配置される反射板36，37は開口部24の上下側に亘って前後方向の長さが長く形成され、これら最も上下に配置される反射板36，37の間の配置される反射板36，37は最も上下に配置される反射板36，37よりも前後方向の長さが短く形成されている。また、下側のＬＥＤ列32に対応する下側の反射板37には、ＬＥＤ31からの直射光が入射する反射面37aの先端部から開口部24の下側に向けてさらに別の反射面37cが形成されている。この反射面37cでは、ＬＥＤ31からの直射光は入射しないが、上側の反射板36から反射した反射光や本体22内で反射する反射光などを開口部24へ向けて反射する。
【００２１】
また、透光部材28は、カバー21の開口部24の内側を覆うように配置されたレンズ43および拡散部材44を有している。レンズ43には、左右方向にのみ光拡散性を有するレンチキュラーレンズが用いられている。拡散部材44は、透光性および光拡散性を有する拡散板や拡散シートが用いられている。
【００２２】
また、図４および図５に示すように、電源部16は、ピット12の底面に設置される設置台としても機能し、各発光色のＬＥＤ31R，31G，31B，31W，31C毎に点灯電力を供給する。そして、電源部16は、外部に設置される制御盤とケーブルによって接続され、制御盤による制御によって各発光色のＬＥＤ31R，31G，31B，31W，31C毎に調光点灯させる。よって、光源部15は任意の明るさ、光色に調光、調色点灯可能になっている。
【００２３】
また、支持部17は、電源部16の両側に取り付けられた一対のアーム46を有し、これらのアーム46の上端に光源部15が上下方向の向きを調整可能に支持されている。
【００２４】
また、図６に示したアッパーホリゾントライト11bは、ロアーホリゾントライト11aと略同じ構成で、ロアーホリゾントライト11aの上下を逆にしてバトンに吊り下げ設置された構成となっている。アッパーホリゾントライト11bには、バトンなどに取り付けるための取付機構を備えている。
【００２５】
光源部15の各構成も上下が逆となり、ロアーホリゾントライト11aでは下側に位置された反射板37がアッパーホリゾントライト11bでは上側に位置される。光源部15は、この光源部15の光を出射する前面すなわち開口部24が壁面10に対して斜め下方へ向けて対向するように設置され、反射板37は開口部24の上下方向の一端側である上側寄りに位置されていて壁面10に近い位置に配置され、反射板36は開口部24の上下方向の他端側である下側寄りに位置されていて壁面10から遠い位置に配置されている。
【００２６】
そして、図６に示すように、ロアーホリゾントライト11aおよびアッパーホリゾントライト11bにおいて、電源部16から光源部15のＬＥＤ31に点灯電力を供給することにより、ＬＥＤ31が発生する光が壁面10に照射される。
【００２７】
図１に示すように、ロアーホリゾントライト11aにおいては、ＬＥＤ31からの直接光の一部が反射板36，37，39に入射することなく開口部24へ向かい、また、ＬＥＤ31からの直接光の他の一部が反射板36，37，39に入射し、反射して開口部24へ向かう。開口部24へ向かう直接光および反射光は、透光部材28である拡散部材44およびレンズ43を透過する際に配光が制御されて開口部24から出射し、壁面10に照射される。
【００２８】
下側の反射板37の反射面37aは、反射率が高い鏡面に形成されており、ロアーホリゾントライト11aから遠い壁面10の上側領域へ向けて効率的に光を反射できる。
【００２９】
上側の反射板36の反射面36aは、反射面37aよりも反射率が低く光拡散性が高い光拡散面に形成されているので、ロアーホリゾントライト11aに近い壁面10の下側領域から中間領域（上側領域と下側領域との中間領域）へ向けて光を反射しても、壁面10に光むらが発生すのを低減できる。
【００３０】
また、ＬＥＤ31からの直接光（図１の直接光(1)(2)(3)参照）は、下側の反射板37の先端部37bで遮られるため、ロアーホリゾントライト11aに近い壁面10の下側領域に、直射光が照射される明部領域と直射光が遮られて相対的にやや暗くなる暗部領域とが現れやすい。このとき、下側の反射板37の先端部37bが直線状であれば、明部領域と暗部領域との境界が直線状になり、光むらを明確に視認されやすい。本実施形態では、下側の反射板37の先端部37bを山部40と谷部41を有する凹凸形状に形成しているため、図７のロアーホリゾントライト11aから壁面10に照射された光の概念図に示すように（図７の(1)(2)(3)は、図１の直接光(1)(2)(3)に対応する）、明部領域と暗部領域との境界が直線状にならずにぼやかすことができ、壁面10での光むらの発生を低減できる。
【００３１】
また、ロアーホリゾントライト11aに近い壁面10の下側領域には、上側の反射板36からの反射光が照射されるため、ＬＥＤ31からの直接光が下側の反射板37の先端部37bで遮られることによって発生する光むらが低減される。
【００３２】
また、上側の反射板36の先端部は凹凸形状に形成されていないが、この上側の反射板36の先端部の近傍を通過する直接光は、ロアーホリゾントライト11aから遠い壁面10の上側領域へ向かうため、直接光が拡散されて光むらが発生しにくい。ただし、上側の反射板36の先端部も凹凸形状に形成することがより好ましい。
【００３３】
また、複数のＬＥＤ31が横方向に配列されるピッチと反射板37の凹凸形状のピッチとが異なっているため、壁面10での明部領域と暗部領域とが混ざり合いやすくなり、光むらの発生を低減できる。
【００３４】
また、各ＬＥＤ列32，33，34の上下方向に並ぶＬＥＤ31が発光色が互いに異なるように配列されているとともに、各ＬＥＤ列32，33，34に対応した下側の反射板37の凹凸形状は上下方向に同じ位置に形成されているため、壁面10に照射された各発光色のＬＥＤ31からの光が混ざりやすく、色むらの発生を低減できる。
【００３５】
また、本体22の開口部24から出射される光は拡散部材44を透過するため、下側の反射板37の先端部37bを凹凸形状に形成していることに加えて、光むらの発生を低減することができる。
【００３６】
さらに、開口部24から出射される光は左右方向のみに光拡散性を有するレンチキュラーレンズであるレンズ43で配光制御される。レンズ43がなかった場合には、個々のＬＥＤ31の光が本体22の開口部24の左右縁部で遮られることにより、壁面10に明部領域と暗部領域とが交互に映る縦筋状の光むらが発生しやすい。この縦筋状の光むらは、例えば、白色のＬＥＤ31Wのみを点灯させた場合、左右方向の白色のＬＥＤ31Wの間隔があいているため、個々のＬＥＤ31Wの光が本体22の開口部24の左右縁部で遮られることで、明部領域と暗部領域とが交互に発生しやすい。なお、他の単色のＬＥＤ31のみを点灯させた場合も同様であり、さらに、複数色のＬＥＤ31を点灯させた場合、各色の光むらにより色むらとなって発生する。それに対して、レンズ43を備えることにより、個々のＬＥＤ31からの光をレンズ43で左右方向に拡散するため、壁面10に縦筋状の光むらが発生するのを低減できる。
【００３７】
また、アッパーホリゾントライト11bは、ロアーホリゾントライト11aとは上下方向の向きが逆なだけで同様の構成を備えているため、上述した光むらの発生を低減できる作用効果を奏する。
【００３８】
次に、図８および図９に第２の実施形態を示す。なお、第１の実施形態と同じ符号を用い、同じ構成および作用効果についてはその説明を省略する。
【００３９】
ピットがないスタジオや舞台では、床面に隠し部材50を設置し、この隠し部材50の背面側に隠れるようにロアーホリゾントライト11aを設置している。
【００４０】
この場合、ロアーホリゾントライト11aの高さが高いと、隠し部材50の高さも高くなり、壁面の有効演出範囲を狭めてしまうことになる。
【００４１】
そこで、光源部15と電源部16とを分離できる構造とするとともに、光源部15を支持部17によって床面に設置できる構造とし、光源部15と電源部16とを床面に並べて設置する。
【００４２】
このように設置できるロアーホリゾントライト11aは高さが低くなるため、隠し部材50の高さも低くでき、壁面の有効演出範囲を広くすることができる。
【００４３】
次に、図１０および図１１に第３の実施形態を示す。なお、各実施形態と同じ符号を用い、同じ構成および作用効果についてはその説明を省略する。
【００４４】
第２の実施形態と同様に、ピットがないスタジオや舞台で、床面に隠し部材50を設置し、この隠し部材50の背面側に隠れるようにロアーホリゾントライト11aを設置する。
【００４５】
ロアーホリゾントライト11aは、電源部16に対して光源部15の高さを調整できるようにしている。光源部15を支持する支持部17のアーム46を電源部16に回動可能とし、光源部15を電源部16の上方の高い位置から電源部16の背部側の低い位置までの間で移動可能としている。
【００４６】
このように光源部15の高さを調整可能としたロアーホリゾントライト11aは高さが低くなるため、隠し部材50の高さも低くでき、壁面の有効演出範囲を広くすることができる。
【００４７】
次に、図１２および図１３に第４の実施形態を示す。なお、各実施形態と同じ符号を用い、同じ構成および作用効果についてはその説明を省略する。
【００４８】
アッパーホリゾントライト11bにおいて、電源部16に対して光源部15の水平方向の向きを任意に調整できるようにしている。光源部15を支持する支持部17を電源部16に対して手動あるいは電動によって回動可能とし、光源部15の水平方向に回動させて光照射方向を変更できるように構成する。
【００４９】
このアッパーホリゾントライト11bでは、バトンなどに電源部16を設置したまま、光源部15のみを回動させて、光照射方向を変更できるため、演出効果を広げることができる。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
10    壁面
11    ホリゾントライト
22    本体
24    開口部
26    発光ユニット
27    反射手段
31    ＬＥＤ
36，37    反射板
37b   先端部
40    山部
41    谷部
【図１】
2015002157.tif 000003
【図２】
2015002157.tif 000004
【図３】
2015002157.tif 000005
【図４】
2015002157.tif 000006
【図５】
2015002157.tif 000007
【図６】
2015002157.tif 000008
【図７】
2015002157.tif 000009
【図８】
2015002157.tif 000010
【図９】
2015002157.tif 000011
【図１０】
2015002157.tif 000012
【図１１】
2015002157.tif 000013
【図１２】
2015002157.tif 000014
【図１３】
2015002157.tif 000015